(57)【特許請求の範囲】
【請求項１】
血圧測定部位に装着されたカフの内圧変化に基づいて血圧を測定する血圧測定モードと、前記血圧測定モードにおける測定精度を確認するための精度確認モードとを有する血圧計と、
前記精度確認モードにおいて、前記血圧計との間で通信可能に接続され、前記血圧計の測定精度を判定するための精度確認装置とを備え、
前記血圧計は、
前記血圧測定モードにおいて前記カフに連通される一方で、前記精度確認モードにおいて前記精度確認装置の空気系に連通される空気系配管と、
前記血圧測定モードおよび前記精度確認モードにおいて、前記空気系配管に印加する圧力を調整する加圧・減圧手段と、
前記空気系配管内の圧力を検出する第１の圧力検出手段とを含み、
前記精度確認装置は、
予め設定された所定の圧力発生パターンに従って前記空気系内に圧力を発生させる圧力発生手段と、
前記空気系内の圧力を検出する第２の圧力検出手段とを含み、
前記血圧計および前記精度確認装置のいずれか一方は、
前記精度確認モードにおいて、前記第１の圧力検出手段の圧力検出値と、前記第２の圧力検出手段の圧力検出値との差値に基づいて前記血圧計の測定精度を判定する測定精度判定手段と、
判定された前記血圧計の測定精度を表示する表示手段とを含む、血圧計の測定精度確認システム。
【請求項２】
前記所定の圧力発生パターンは、前記血圧測定モードにおいて前記第１の圧力検出手段により検出される脈圧の変化を再現する脈圧発生パターンを含む、請求項１に記載の血圧計の測定精度確認システム。
【請求項３】
前記加圧・減圧手段は、前記精度確認モードにおいて、予め設定された所定時間だけ前記空気系に圧力を印加するように構成され、
前記測定精度判定手段は、前記所定時間経過後における前記第１の圧力検出手段の圧力検出値に基づいて前記加圧・減圧手段の構成部品の動作性能を診断する動作性能診断手段を含む、請求項２に記載の血圧計の測定精度確認システム。
【請求項４】
前記血圧計は、
判定された前記血圧計の測定精度を、該測定精度の確認日時と関連付けて格納するための記憶手段と、
前記記憶手段に格納された測定精度に基づき、ユーザに対する前記血圧測定モードの実行の可否についての通知を行なうための通知手段とをさらに含む、請求項１から請求項３のいずれか１項に記載の血圧計の測定精度確認システム。
【請求項５】
前記通知手段は、前記通知に関連して、ユーザに対する前記精度確認モードの実行を促す通知を行なう、請求項４に記載の血圧計の測定精度確認システム。
【請求項６】
前記血圧計は、ユーザによる操作に応答して前記精度確認モードの選択を指示するための信号を出力する操作手段をさらに含む、請求項１から請求項５のいずれか１項に記載の血圧計の測定精度確認システム。
【請求項７】
前記血圧計は、前記空気系配管と前記精度確認装置の空気系とを連通するためのコネクタ部を含み、前記コネクタ部が閉成されたことに応答して、前記精度確認モードを選択する、請求項１から請求項５のいずれか１項に記載の血圧計の測定精度確認システム。
【発明の詳細な説明】
【技術分野】
【０００１】
この発明は、血圧計およびこの血圧計の測定精度を確認するための測定精度確認システムに関する。
【背景技術】
【０００２】
近年、高血圧を要因とする生活習慣病が一般的となってきており、日常の健康管理の指標としては、血圧値を日々測定、管理を行なうことが重要である。そのため、家庭向けの血圧計が普及している。
【０００３】
このような家庭向けの血圧計においては、血圧値を測定できない等の不具合が生じた場合には、ユーザが血圧計を製造メーカに送付することにより、点検および修理のサービスを受けるのが一般的である。
【０００４】
しかしながら、測定不能といった不具合が生じていない場合であっても、家庭で測定した血圧値がユーザの予想していた血圧値から大きくずれる場合、あるいは、家庭で測定した血圧値が医療機関で測定した血圧値に一致していない場合などには、血圧計の測定精度に不安感を覚えるユーザが少なからず存在する。
【０００５】
このような場合、血圧自体が生活環境やストレスによって容易に変動するものであることから、血圧値のずれが血圧計の測定精度の低下によるものなのか、血圧の変動によるものなのかをユーザが判断することは困難である。
【０００６】
そのため、ユーザが血圧計をメーカに送付して測定精度についての点検のサービスを受けようとすると、血圧値を測定できない期間が発生してしまうという不具合が生じる。さらには、血圧計をメーカに送付する手間の煩わしさ等も生じることから、測定精度に対する不安感を抱きつつも血圧計の使用を継続している状況が存在する。
【０００７】
血圧計の測定精度については、たとえば特開平７−５１２３３号公報（特許文献１）には、生産時に、計器固有の圧力調整データ（例えば、感度係数または直線性補正データ）を求め、これを不揮発性記憶手段に設定記憶しておく電子血圧計が開示される。これによれば、人が計器毎に、半固定抵抗を調整したり、基板のパターンカット等を行なう作業が不要となるため、生産性の向上および精度向上を図ることができる。
【特許文献１】特開平７−５１２３３号公報
【発明の開示】
【発明が解決しようとする課題】
【０００８】
上述した特開平７−５１２３３号公報に記載の電子血圧計では、不揮発性記憶手段に設定記憶された生産時の圧力調整データを用いて、測定時に圧力センサで検出されるカフ圧を補正する構成が開示されている。しかしながら、圧力センサの感度係数および直線性は、計器の使用期間等の使用環境に応じた可変値であって、使用期間が経つにつれて生産時の圧力調整データとは異なったものとなることから、必ずしも電子血圧計の測定精度を保証することができないという問題がある。そのため、上述したような電子血圧計の測定精度に対してユーザが抱く不安感を解消することができない。なお、特開平７−５１２３３号公報は、電子血圧計の測定精度をユーザが確認するための手段について何ら開示していない。
【０００９】
そこで、使用時の血圧計の測定精度を確認するために、血圧計の本体に２個の圧力センサを内蔵しておき、圧力センサの各々で検出された圧力値の圧力偏差に基づいて血圧計の測定精度を判定する構成を備えた血圧計が医療機関等で利用されている。
【００１０】
しかしながら、かかる構成は、圧力センサを２個搭載することにより血圧計本体が大型化するうえに、装置コストも嵩んでしまうため、家庭向けの血圧計への適用が容易ではないという問題がある。
【００１１】
それゆえ、この発明は、かかる課題を解決するためになされたものであり、その目的は、簡易かつ低廉な装置構成で、測定精度を確認可能な血圧計および血圧計の測定精度確認システムを提供することである。
【課題を解決するための手段】
【００１２】
この発明のある局面に従う血圧計の測定精度確認システムは、血圧測定部位に装着されたカフの内圧変化に基づいて血圧を測定する血圧測定モードと、血圧測定モードにおける測定精度を確認するための精度確認モードとを有する血圧計と、精度確認モードにおいて、血圧計との間で通信可能に接続され、血圧計の測定精度を判定するための精度確認装置とを備える。血圧計は、血圧測定モードにおいてカフに連通される一方で、精度確認モードにおいて精度確認装置の空気系に連通される空気系配管と、空気系配管に印加する圧力を調整する加圧・減圧手段と、空気系配管内の圧力を検出する第１の圧力検出手段とを含む。精度確認装置は、予め設定された所定の圧力発生パターンに従って空気系内に圧力を発生させる圧力発生手段と、空気系内の圧力を検出する第２の圧力検出手段とを含む。血圧計および精度確認装置のいずれか一方は、第１の圧力検出手段の圧力検出値と、第２の圧力検出手段の圧力検出値との差値に基づいて血圧計の測定精度を判定する測定精度判定手段と、判定された血圧計の測定精度を表示する表示手段とを含む。
【００１３】
好ましくは、所定の圧力発生パターンは、血圧測定モードにおいて第１の圧力検出手段により検出される脈圧の変化を再現する脈波発生パターンを含む。
【００１４】
好ましくは、所定の圧力発生パターンは、予め設定された所定時間空気系配管に圧力を印加する発生パターンをさらに含む。測定精度判定手段は、所定時間経過後における第１の圧力検出手段の圧力検出値に基づいて加圧・減圧手段の構成部品の動作性能を診断する動作性能診断手段を含む。
【００１５】
好ましくは、血圧計は、判定された血圧計の測定精度を、該測定精度の確認日時と関連付けて格納するための記憶手段と、記憶手段に格納された測定精度に基づき、ユーザに対する血圧測定モードの実行の可否についての通知を行なうための通知手段とをさらに含む。
【００１６】
好ましくは、通知手段は、通知に関連して、ユーザに対する精度確認モードの実行を促す通知を行なう。
【００１７】
好ましくは、血圧計は、ユーザによる操作に応答して精度確認モードの選択を指示するための信号を出力する操作手段をさらに含む。
【００１８】
好ましくは、血圧計は、空気系通路と精度確認装置の空気系とを連結するためのコネクタ部を含み、コネクタ部が閉成されたことに応答して、精度確認モードを選択する。
【００１９】
この発明の他の局面に従う血圧計は、血圧測定部位に装着されたカフの内圧変化に基づいて血圧を測定する血圧測定モードと、血圧測定モードにおける測定精度を確認するための精度確認モードとを有する。血圧計は、血圧測定モードにおいてカフに連通される空気系配管と、空気系配管に印加する圧力を調整する加圧・減圧手段と、空気系配管内の圧力を検出する第１の圧力検出手段とを備える。空気系配管は、精度確認モードにおいて、装置外部に配された精度確認装置の空気系に連通されるとともに、精度確認装置が空気系内に発生した所定の圧力発生パターンからなる圧力が印加される。血圧計は、精度確認モードにおいて、第１の圧力検出手段の圧力検出値と予め設定された所定の圧力基準値との差値に基づいて血圧計の測定精度を判定する測定精度判定手段と、判定された血圧計の測定精度を表示する表示手段とをさらに備える。
【００２０】
好ましくは、血圧計は、精度確認装置の空気系の圧力信号を検知して、精度確認モードを選択するモード選択手段をさらに備える。
【発明の効果】
【００２１】
この発明によれば、血圧計の測定精度を簡易かつ低廉な装置構成で確認することができる。その結果、ユーザは、日々の血圧値の測定を安定した測定精度のもとで行なうことができる。
【発明を実施するための最良の形態】
【００２２】
以下、この発明の実施の形態について図面を参照して詳しく説明する。なお、図中同一符号は同一または相当部分を示す。
【００２３】
［第１の実施の形態］
（血圧計の測定精度確認システムの構成）
図１は、この発明の実施の形態１に係る血圧計の測定精度確認システムの外観の概略図である。
【００２４】
図１を参照して、血圧計の測定精度確認システムは、血圧計１と、血圧計１の測定精度を確認するための精度確認装置６０と、精度確認装置接続用プラグ（以下、接続用プラグ）９２と、通信回線７０とを備える。
【００２５】
血圧計１に対して測定精度の確認動作を行なう場合には、接続用プラグ９２が血圧計１の本体２に設けられたコネクタ６に連結されるとともに、通信回線７０が本体２と精度確認装置６０との間に配設される。
【００２６】
血圧計１は、本体２と、測定部位である上腕に巻付けるカフ５とを備え、それらがエア管１０で接続される。本体２の正面には、スイッチ等の操作部３と、測定結果を表示する表示部４とが配備される。
【００２７】
操作部３は、電源のオン／オフを指示するための電源スイッチ３０２と、測定の開始／停止を指示するための測定スイッチ３０４と、「精度確認モード」の選択を指示するためのスイッチ（以下、精度確認モードスイッチ）３０６とを含む。
【００２８】
ここで、「精度確認モード」とは、血圧計１の測定精度を確認するための動作モードをいう。血圧計１は、動作モードとして、通常の血圧測定動作を行なう「血圧測定モード」と、この精度確認モードとを有している。そして、血圧計１は、精度確認モードスイッチ３０６の操作による操作信号の入力を受けると、血圧測定モードから精度確認モードに移行する。
【００２９】
表示部４は、測定結果を表示するための表示領域４０〜４６を含む。表示領域４０〜４４には、最高血圧を示す最高血圧データ、最低血圧を示す最低血圧データおよび脈拍数を示す脈拍数データがそれぞれ表示される。表示領域４６には、血圧測定の日時を示す時刻データが表示される。
【００３０】
表示部４は、さらに、血圧の測定日時における血圧計１の測定精度を示す測定精度データを表示するための表示領域４８を含む。測定精度データは、精度確認モードの実行時において精度確認装置６０によって取得され、通信回線７０を介して血圧計１の本体２に送信された測定精度の判定結果に基づいて生成される。この測定精度データには、測定精度が予め設定された所定の水準を満たしており、血圧測定が実行可能であること示すデータと、測定精度が該所定の水準を満たさず、血圧測定が不可能であることを示すデータとが含まれている。
【００３１】
カフ５には、図示しない空気袋が配置され、カフ５を測定部位である上腕に巻付けることで空気袋が測定部位に押付けられる。
【００３２】
精度確認装置６０は、精度確認モードを実行する場合に、接続用プラグ９２が血圧計１の本体２のコネクタ６に連結されることで、内部のエア系が本体２に内蔵された測定用エア系（ともに図示せず）に連通される。また、通信回線７０を介して、本体２内部で血圧計１全体を制御するＣＰＵ（Central Processing Unit）と通信可能な状態となる。なお、通信回線７０は、有線または無線のいずれであってもよい。
【００３３】
精度確認装置６０は、スイッチ等の操作部６４と、測定精度の確認結果を表示する表示部６２とを備える。
【００３４】
操作部６４は、電源のオン／オフを指示するための電源スイッチ６４２と、精度確認モードの実行中において、診断項目の選択を指示するためのスイッチ（以下、診断項目スイッチ）６４６とを含む。この診断項目としては、血圧計１の測定精度を基本として、血圧計１の構成部品に対して個別に動作性能を診断可能なように複数の診断項目が含まれている。
【００３５】
図２は、血圧計１および精度確認装置６０のハードウェア構成の具体例を示すブロック図である。
【００３６】
図２を参照して、血圧計１は、本体２と、測定部位である上腕に巻付けるカフ５とを備え、それらがエア管１０で接続される。本体２の正面には、スイッチ等の操作部３と、測定結果等を表示する表示部４とが配備される。カフ５には空気袋８が配置され、カフ５を測定部位である上腕に巻付けることで空気袋８が測定部位に押付けられる。
【００３７】
空気袋８は、測定用エア系２３に接続されている。測定用エア系２３は、空気袋８の内圧変化を測定する圧力センサ２０と、空気袋８に対する給気／排気を行なうポンプ２４と、弁２８とを含む。
【００３８】
また、血圧計１の本体２内には、血圧計１全体を制御するＣＰＵ５０と、測定用エア系２３に接続されるＡ／Ｄ（Analog to Digital）変換器２２、ポンプ２４を駆動する駆動回路２６および弁２８の開閉を調整する駆動回路３０と、測定日時を得るためのタイマ部５４と、ＣＰＵ５０で実行されるプログラムや測定結果を記憶するメモリ部５２とが含まれる。
【００３９】
ＣＰＵ５０は、操作部３から入力される操作信号に基づいてメモリ部５２に記憶されている所定のプログラムを実行し、駆動回路２６，３０に制御信号を出力する。駆動回路２６，３０は、制御信号に従ってポンプ２４および弁２８を駆動させ、血圧測定動作を実行させる。
【００４０】
圧力センサ２０は、空気袋８の内圧変化を検出し、検出信号を図示しない増幅器に入力する。入力された圧力信号は、増幅器において所定振幅まで増幅され、Ａ／Ｄ変換器２２においてデジタル信号に変換された後にＣＰＵ５０に入力される。ＣＰＵ５０は、圧力センサ２０から得られた空気袋８の内圧変化に基づいて所定の処理を実行し、その結果に応じて駆動回路２６，３０に上記制御信号を出力する。また、ＣＰＵ５０は、圧力センサ２０から得られた空気袋８の内圧変化に基づいて血圧値を算出し、測定結果を表示部４に表示させるために出力する。
【００４１】
弁２８は、ＣＰＵ５０からの制御信号に従った駆動回路３０によってその開閉が制御されて、空気袋８内の空気を排出する。
【００４２】
以上の構成において、ＣＰＵ５０は、電源スイッチ３０２（図１）の操作による操作信号が入力されると、各部への電源供給を行ない、その後、次の操作信号の入力に対する待ち受け状態となる。そして、測定スイッチ３０４（図１）の操作による操作信号の入力を受けると、動作モードとして「血圧測定モード」を選択し、一連の血圧測定動作を実行する。
【００４３】
その一方で、待ち受け状態において精度確認モードスイッチ３０６（図１）の操作による操作信号の入力を受けると、動作モードとして「精度確認モード」を選択し、一連の測定精度確認動作を実行する。
【００４４】
血圧計１は、測定精度確認動作を実行するための構成として、コネクタ６をさらに備える。血圧計１に対して測定精度の確認動作を行なう場合には、精度確認装置６０側の接続用プラグ９２がコネクタ６に連結されることで、本体２内の測定用エア系２０が精度確認装置６０のエア系（エア管９０）に連通される。
【００４５】
具体的には、接続用プラグ９２は、図２に示すように、所定長さの円筒部分を有しており、当該円筒部分が、精度確認装置６０のエア管９０を測定用エア系２３に連通させる一方で、空気袋８に対しては遮断するように構成されている。
【００４６】
精度確認装置６０は、精度確認装置６０全体を制御するＣＰＵ８０と、エア管９０に接続される圧力センサ８２および圧力発生部８４と、表示部６２と、計時動作して計時データを出力するタイマ部８６と、スイッチ等の操作部６４と、ＣＰＵ８０で実行されるプログラムや測定精度の判定データを格納するためのメモリ部８８とを含む。
【００４７】
ＣＰＵ８０は、操作部６４から入力される操作信号に基づいてメモリ部８８に記憶されている所定のプログラムを実行し、圧力発生部８４に制御信号を出力する。圧力発生部８４は、制御信号に従って予め設定された圧力発生パターンに基づいて圧力を発生する。
【００４８】
圧力センサ８２は、エア管９０の内圧変化を検出し、検出信号を図示しない増幅器に入力する。入力された圧力信号は、増幅器において所定振幅まで増幅され、図示しないＡ／Ｄ変換器においてデジタル信号に変換された後にＣＰＵ８０に入力される。ＣＰＵ８０は、圧力センサ８２から得られたエア管９０の内圧変化に基づいて所定の処理を実行し、その結果に応じて圧力発生部８４に上記制御信号を出力する。また、ＣＰＵ８０は、圧力センサ８２から得られたエア管９０の内圧変化に基づいて圧力（最高圧力）値を算出する。
【００４９】
ＣＰＵ８０は、さらに、通信回線７０を介して血圧計１のＣＰＵ５０が算出した血圧（最高血圧）値を受信する。そして、ＣＰＵ８０は、算出した最高圧力値とＣＰＵ５０から受信した最高血圧値との圧力偏差を演算し、その演算した圧力偏差に基づいて血圧計１の測定精度を判定する。測定精度の判定結果は、表示部６２に出力されるとともに、通信回線７０を介して血圧計１のＣＰＵ５０に与えられる。
【００５０】
血圧計１では、ＣＰＵ５０が、通信回線７０を介して測定精度の判定結果の入力を受付けて、タイマ部５４により得られる測定精度確認動作を実行した日時とともに、メモリ部５２へのデータの格納処理を行なう。さらに、ＣＰＵ５０は、測定精度の判定結果に基づいて血圧測定の実行が可能であるか否かを判断し、その判断結果を表示部４に表示する。
【００５１】
（機能構成）
図３は、血圧計１の測定精度の確認動作を行なうための機能構成の具体例を示すブロック図である。図３に示される機能は、ＣＰＵ５０，８０がメモリ部５２，８８に記憶されている所定のプログラムをそれぞれ実行することで、ＣＰＵ５０，８０により実行される機能である。また、図３に示される機能のうちの一部または全部が、ハードウェアによって実現されてもよい
図３を参照して、血圧計１の測定精度確認動作を行なうための機能は、血圧計１のＣＰＵ５０により実現される精度確認モード設定部５０２、圧力測定部５０４、測定精度管理部５０６および表示処理部５０８と、精度確認装置６０のＣＰＵ８０により実現される圧力測定部８０２、測定精度判定部８０４および表示処理部８０６とを含む。なお、上述したように、ＣＰＵ５０とＣＰＵ８０との間のデータの送受信は、通信回線７０（図１）を介して行なわれる。
【００５２】
精度確認モード設定部５０２は、精度確認モードスイッチ３０６（図１）の操作による操作信号の入力に応答して、血圧計１の動作モードを精度確認モードに設定する。そして、精度確認モード設定部５０２は、圧力測定部５０４，８０２に対して精度確認要求を発生して、血圧計１の測定精度確認動作を実行する。
【００５３】
具体的には、圧力測定部８０２は、操作部６４の診断項目スイッチ６４６（図１）の操作による操作信号の入力を受付けて、予め設定された複数の診断項目の中から診断項目を選択する。以下では、診断項目として、血圧計１の測定精度が選択された場合について説明する。
【００５４】
圧力測定部８０２は、血圧計１の測定精度を診断する場合には、圧力測定部５０４から送信される測定開始要求に応答して、圧力発生部８４を制御して、通常の血圧測定時において血圧計１の圧力センサ２０にて検出される被測定部位の脈圧の変化を再現させた疑似脈波を発生する。図４は、圧力発生部８４が発生する疑似脈波を説明するための図である。図４を参照して、疑似脈波は、圧力の最高値（最高圧力）を予め設定された所定値（たとえば１２０ｍｍＨｇ）とする波形を示す。
【００５５】
このとき、圧力測定部８０２は、エア管９０の内圧変化を圧力センサ８２で検出し、その検出した圧力に基づき最高圧力値を算出する。そして、算出された最高圧力値を測定精度判定部８０４へ出力する。
【００５６】
一方、圧力測定部５０４は、測定スイッチ３０４（図１）の操作による操作信号の入力を受付けて、測定開始要求を発生して圧力測定部８０２へ出力するとともに、血圧測定処理を実行する。図５は、圧力センサ２０で検出されるエア管９０の内圧変化を説明するための図である。圧力測定部５０４は、図５に示す圧力センサ２０で検出された内圧変化に基づいて血圧（最高血圧）値を算出し、その算出した最高血圧値を測定精度判定部８０４へ出力する。
【００５７】
測定精度判定部８０４は、圧力測定部５０４から最高血圧値を受け、圧力測定部８０２から最高圧力値を受けると、これら２つの圧力値の圧力偏差を演算する。そして、演算した圧力偏差に基づいて血圧計１の測定精度を判定する。
【００５８】
具体的には、測定精度判定部８０４は、演算した圧力偏差が予め設定された所定の閾値以下であるか否かを判断する。演算した圧力偏差が所定の閾値以下である場合には、測定精度判定部８０４は、血圧計１の測定精度が所定の水準を満たしており、正常であると判定する。これに対して、演算した圧力偏差が所定の閾値を上回る場合には、測定精度判定部８０４は、血圧計１の測定精度が所定の水準を満たしておらず、異常であると判定する。そして、測定精度判定部８０４は、測定精度の判定結果を表示処理部８０６へ出力する。表示処理部８０６は、測定精度の判定結果を表示部６２に表示する処理を行なう。
【００５９】
測定精度判定部８０４は、さらに、測定精度の判定結果を、通信回線７０（図１）を介してＣＰＵ５０内部の測定精度管理部５０６へ送信する。
【００６０】
測定精度管理部５０６は、測定精度の判定結果の入力を受付けて、メモリ部５２へのデータ格納処理を行なう。このとき、測定精度の判定結果は、タイマ部５４により得られる測定精度確認動作を実行した日時と関連付けされてメモリ部５２に格納される。
【００６１】
そして、測定精度管理部５０６は、メモリ部５２に格納された測定精度の判定結果に基づいて、血圧測定動作の実行が可能か否かを判断する。測定精度が所定の水準を満たしており、正常であると判定された場合には、測定精度管理部５０６は、血圧測定動作の実行が可能であると判断する。表示処理部５０８は、この判断結果を表示部４に表示する処理を行なう。図６は、表示部４における表示例を示す図である。図６に示すように、測定精度が高いことを、「測定精度ＯＫ」のようなメッセージとして表示領域４８に表示することも可能である。
【００６２】
これに対して、測定精度が所定の水準を満たさず、異常であると判定された場合には、測定精度管理部５０６は、血圧測定動作が実行不能と判断する。表示処理部５０８は、この判断結果を表示部４に表示する処理を行なう。図７は、表示部４における他の表示例を示す図である。図７に示すように、測定精度が低いために血圧測定動作が実行不能であることを、「測定不能」のような警告として表示部４に表示することも可能である。
【００６３】
なお、血圧測定動作が実行不能と判断された場合には、上述したユーザに対する警告に加えて、次回以降の血圧測定動作の実行を禁止するための処理を行なう構成としてもよい。
【００６４】
さらに、測定精度管理部５０６は、メモリ部５２に格納された測定精度の判定結果およびタイマ部５４からの計時情報に基づいて、血圧計１の測定精度確認動作を行なう必要があるか否かを判断する。具体的には、測定精度管理部５０６は、予め定められた頻度で測定精度の確認が行なわれるように、前回の測定精度確認動作を行なった日時からの経過時間をタイマ部５４を用いて計時し、その計時した経過時間が所定の基準時間を超えたか否かを判断する。経過時間が所定の基準時間を超えた場合には、測定精度管理部５０６は、測定精度確認動作が必要であると判断する。表示処理部５０８は、この判断結果を表示部４に表示する処理を行なう。図８は、表示部４における他の表示例を示す図である。図８を参照して、測定精度確認動作が必要であることを、ユーザに対する測定精度確認動作の実行を促す通知として、前回の測定精度確認動作を行なった日時とともに、「測定精度を確認して下さい」のように表示することも可能である。
【００６５】
なお、これらの通知としては、このような表示部４の表示に限られず、図示しない報知部により、ＬＥＤ（Light Emitting Diode）の点灯やブザーによる音等によりユーザに通知することとしてもよい。
【００６６】
図９は、血圧計１におけるＣＰＵ５０および精度確認装置６０におけるＣＰＵ８０が実行する血圧計１の測定精度確認動作を説明するためのフローチャートである。図９のフローチャートは、予めプログラムとしてメモリ部５２，８８に格納されて、ＣＰＵ５０，８０によりそれぞれ読出されて実行される。なお、図９に示される処理は、たとえば血圧計１の電源スイッチ３０２および精度確認装置６０の電源スイッチ６４２が操作された後に、ＣＰＵ５０，８０に電力が供給された場合に開始される処理である。
【００６７】
図９を参照して、まず、血圧計１側では、ＣＰＵ５０は、精度確認モードスイッチ３０６（図１）の操作の有無を判断する（ステップＳ０１）。精度確認モードスイッチ３０６の操作があったことが検知されると（ステップＳ０１でＹＥＳ）、ＣＰＵ５０は、血圧計１の動作モードを精度確認モードに設定する。また、ＣＰＵ５０は、精度確認要求を発生して通信回線７０（図１）を介してＣＰＵ８０に対して送信する。
【００６８】
さらに、ＣＰＵ５０は、精度確認装置６０のＣＰＵ８０からユーザが選択した診断項目を受信すると、選択された診断項目が血圧計１の測定精度であるか否かを判断する（ステップＳ０２）。選択された診断項目が血圧計１の測定精度であると判断されると（ステップＳ０２にてＹＥＳ）、ＣＰＵ５０は、Ｓ０３〜Ｓ０７に示す血圧測定のための処理を実行する。この処理は、血圧計１が血圧測定モードにある場合に、血圧測定のために実行する処理と同じものである。
【００６９】
具体的には、ＣＰＵ５０は、測定スイッチ３０４（図１）の操作の有無を判断する（ステップＳ０３）。そして、測定スイッチ３０４の操作があったことが検知されると（ステップＳ０３にてＹＥＳ）、ＣＰＵ５０は、血圧計１の初期化処理として、各部を制御して精度確認装置６０内部のエア管９０内の空気を排気し、圧力センサ２０の０ｍｍＨｇ補正を行なう（ステップＳ０４）。
【００７０】
次に、ＣＰＵ５０は、各部を制御して、エア管９０内の圧力を疑似脈波の最高圧力（たとえば１２０ｍｍＨｇ）＋４０ｍｍＨｇ程度にまで加圧する（ステップＳ０５）。そして、徐々にエア管９０内の圧力を減圧していく（ステップＳ０６）。この減圧過程においてエア管９０内の圧力を圧力センサ２０で検出して、ＣＰＵ５０は検出された圧力に基づき血圧（最高血圧）値ＤＲを算出する（ステップＳ０７）。そして、算出された最高血圧値ＤＲを、通信回線７０を介して精度確認装置６０のＣＰＵ８０へ送信する（ステップＳ０８）。ＣＰＵ５０は、最高血圧値ＤＲを送信すると、これに対する測定精度判定結果の受信待機状態となる。
【００７１】
そして、測定精度判定結果の受信が得られると（ステップＳ０９）、ＣＰＵ５０は、測定精度判定結果に、タイマ部５４により得られる測定精度確認動作を実行した日時を関連付けてメモリ部５２に格納する（ステップＳ１０）。
【００７２】
さらに、ＣＰＵ５０は、メモリ部５２に格納された測定精度の判定結果に基づいて、血圧測定動作が実行可能か否かを判断する。この判断結果により、図６および図７で示したような表示が表示部４になされる（ステップＳ１１）。
【００７３】
これに対して、精度確認装置６０側では、まず、血圧計１から送信される精度確認要求の受信待機状態にある（ステップＳ２１）。血圧計１からの精度確認要求が受信されると（ステップＳ２１にてＹＥＳ）、ＣＰＵ８０は、診断項目スイッチ６４６（図１）から入力される操作信号に基づいて、選択された診断項目が血圧計１の測定精度であるか否かを判断する（ステップＳ２２）。選択された診断項目が血圧計１の測定精度であると判断されると（ステップＳ２２にてＹＥＳ）、ＣＰＵ８０は、測定スイッチ３０４（図１）の操作があったことに連動してＣＰＵ５０が発生する測定開始要求の受信待機状態となる。
【００７４】
そして、測定開始要求の受信が得られると（ステップＳ２３）、ＣＰＵ８０は、各部を制御して、疑似脈波を発生する（ステップＳ２４）。このときＣＰＵ８０は、エア管９０内の圧力を圧力センサ８２で検出して、検出された圧力に基づき圧力（最高圧力）値ＤＰを算出して（ステップＳ２５）、メモリ部５２に一時的に格納する（ステップＳ２６）。そして、ＣＰＵ８０は、血圧計１のＣＰＵ５０からの最高血圧値ＤＲの受信待機状態となる。
【００７５】
ＣＰＵ５０から最高血圧値ＤＲの受信が得られると（ステップＳ２７）、ＣＰＵ８０は、血圧計１での最高血圧値ＤＲと精度確認装置６０での最高圧力値ＤＰとの圧力偏差（＝｜ＤＰ−ＤＲ｜）を演算し、その演算した圧力偏差が予め設定された所定の閾値Ｘ以下であるか否かを判断する（ステップＳ２８）。演算した圧力偏差が所定の閾値Ｘ以下である場合には、ＣＰＵ８０は、血圧計１の測定精度が所定の水準を満たしており、正常であると判定する（ステップＳ２９）。これに対して、演算した圧力偏差が所定の閾値Ｘを上回る場合には、ＣＰＵ８０は、血圧計１の測定精度が所定の水準を満たしておらず、異常であると判定する（ステップＳ３０）。そして、ＣＰＵ８０は、測定精度の判定結果を、通信回線７０を介して血圧計１のＣＰＵ５０へ送信する（ステップＳ３１）。さらに、ＣＰＵ８０は、測定精度の判定結果を表示部６２に表示する処理を行なう（ステップＳ３２）。
【００７６】
以上の構成とすることにより、ユーザは、精度確認装置６０に血圧計１を接続させた状態において血圧計１に通常の血圧測定動作を実行させることによって、血圧計１の測定精度を確認することができる。これによれば、血圧計１の本体２に圧力センサを２個設置する必要がなくなるため、簡易かつ低廉な装置構成で血圧計１の測定精度を確認することができる。
【００７７】
また、血圧計１の測定精度が所定の水準を満たさず、異常と判定された場合には、ユーザに対して血圧測定動作が不能である旨を通知する、もしくは、強制的に血圧測定動作を禁止する構成とすることにより、測定精度が異常な状態のままで血圧測定動作が継続されるのを回避することができる。さらに、定期的に測定精度の確認が行なわれるように、ユーザに対して測定精度確認動作の実行を促す通知を行なう構成とすることにより、血圧計１の測定精度を高い状態で維持することができる。その結果、測定精度に対する信頼性を向上することができるとともに、日常の血圧測定管理の実効性を高めることができる。
【００７８】
ここで、本実施の形態による血圧計１の測定精度確認システムによれば、上述した測定精度の確認動作に加えて、血圧計１の構成部品に対して個別に動作性能の診断を行なうことができる。したがって、血圧計１の測定精度が異常と判断された場合には、さらに血圧計１の各構成部品についての動作性能を診断することによって、測定精度の低下をもたらす要因を特定することが可能となる。
【００７９】
具体的には、血圧計１の構成部品についての動作性能の診断を行なう場合には、まず、ユーザが精度確認装置６０の診断項目スイッチ６４６（図１）を操作したことに応じて、診断項目が選択される。診断項目には、例えば、測定用エア系２３の気密性および圧力センサ２０、ポンプ２４および弁２８の動特性などが含まれている。
【００８０】
そして、診断項目が選択されると、診断対象となる構成部品の動作性能を診断するのに最適な圧力発生パターンで血圧計１のエア管１０内に圧力を発生させるように、測定用エア系２３が制御される。このときのエア管１０内の圧力を圧力センサ２０で検出して、その検出された圧力に基づいて各構成部品の動作性能が診断される。
【００８１】
（測定用エア系の気密性診断）
最初に、血圧計１の測定用エア系２３の気密性を診断する動作について説明する。
【００８２】
図１０は、測定用エア系２３の気密性を診断する場合における圧力発生パターンを示す図である。
【００８３】
図１０を参照して、測定用エア系２３の気密性が診断項目に選択された場合には、血圧計１において、ＣＰＵ５０が駆動回路２６を制御してポンプ２４を所定時間Ｔ１動作させることにより、エア管１０内を加圧する。このときの所定時間Ｔ１は、ポンプ２４がエア管１０内の圧力を所定の圧力基準値ＰＰまで加圧するのに必要な時間に予め設定されている。
【００８４】
所定時間Ｔ１の経過後、ＣＰＵ５０は、所定時間Ｔ２だけ測定用エア系２３の動作を停止させて待機状態とする。これは、加圧直後はエア管１０内の圧力が不安定となり、正確な圧力値が検出できないことから、待機時間を設けることによってエア管１０内の圧力が安定した後に正確な圧力値を検出するためである。
【００８５】
そして、所定時間Ｔ２が経過した時刻ｔ２において、ＣＰＵ５０は、エア管１０内の圧力を圧力センサ２０で検出し、その検出した圧力値ＰＲを、通信回線７０を介してＣＰＵ８０へ送信する。ＣＰＵ８０は、その検出された圧力値ＰＲと所定の圧力基準値ＰＰとの圧力偏差を演算し、その圧力偏差が所定の閾値以下であるか否かを判断する。
【００８６】
このとき、測定用エア系２３の気密性が正常であれば、図１０のラインＬＮ１で示すように、エア管１０内の圧力は時刻ｔ２以降において略一定値を示す。その一方で、測定用エア系２３の気密性が異常である（すなわち、漏気が発生している）場合には、図１０のラインＬＮ３で示すように、エア管１０内の圧力は所定の圧力基準値ＰＰを大きく下回るとともに、時刻ｔ２以降において減少し続ける。
【００８７】
したがって、ＣＰＵ８０は、検出された圧力値ＰＲと所定の圧力基準値ＰＰとの圧力偏差が所定の閾値以下である場合には、測定用エア系２３の気密性が正常であると判断する。一方、検出された圧力値ＰＲと所定の圧力基準値ＰＰとの圧力偏差が所定の閾値を上回る場合には、測定用エア系２３の気密性が異常であると判断する。そして、ＣＰＵ８０は、この判断結果を表示部６２に表示させる。表示部６２には、図１に示すように、血圧計１の測定精度の判定結果に併せて、診断項目ごとにその判定結果が表示される。
【００８８】
図１１は、血圧計１におけるＣＰＵ５０および精度確認装置６０におけるＣＰＵ８０が実行する血圧計１における測定用エア系２３の気密性の診断動作を説明するためのフローチャートである。図１１のフローチャートは、予めプログラムとしてメモリ部５２，８８に格納されて、ＣＰＵ５０，８０によりそれぞれ読出されて実行される。なお、図１１に示される処理は、たとえば血圧計１の電源スイッチ３０２および精度確認装置６０の電源スイッチ６４２が操作された後に、ＣＰＵ５０，８０に電力が供給された場合に開始される処理である。
【００８９】
図１１を参照して、まず、血圧計１側では、ＣＰＵ５０は、精度確認モードスイッチ３０６（図１）の操作の有無を判断する（ステップＳ３１）。精度確認モードスイッチ３０６の操作があったことが検知されると（ステップＳ３１でＹＥＳ）、ＣＰＵ５０は、血圧計１の動作モードを精度確認モードに設定する。また、ＣＰＵ５０は、精度確認要求を発生してＣＰＵ８０に対して送信する。
【００９０】
さらに、ＣＰＵ５０は、精度確認装置６０のＣＰＵ８０からユーザが選択した診断項目を受信すると、選択された診断項目が血圧計１の測定用エア系２３の気密性であるか否かを判断する（ステップＳ３２）。選択された診断項目が測定用エア系２３の気密性であると判断されると（ステップＳ３２にてＹＥＳ）、ＣＰＵ５０は、所定の圧力発生パターン（図１０）に従ってエア管１０内に圧力を発生し、そのときの圧力変化を圧力センサ２０で検出する。
【００９１】
具体的には、ＣＰＵ５０は、測定スイッチ３０４（図１）の操作の有無を判断する（ステップＳ３３）。そして、測定スイッチ３０４の操作があったことが検知されると（ステップＳ３３にてＹＥＳ）、ＣＰＵ５０は、血圧計１の初期化処理として、各部を制御して精度確認装置６０内部のエア管９０内の空気を排気し、圧力センサ２０の０ｍｍＨｇ補正を行なう（ステップＳ３４）。
【００９２】
次に、ＣＰＵ５０は、各部を制御して、エア管１０内の圧力を所定時間Ｔ１加圧する（ステップＳ３５）。これにより、エア管１０内の圧力は所定の圧力基準値ＰＰ程度まで加圧される。そして、ＣＰＵ５０は、測定用エア系２３を所定時間Ｔ２だけ待機状態とした後（ステップＳ３６）、エア管１０内の圧力を圧力センサ２０で検出する（ステップＳ３７）。ＣＰＵ５０は、検出された圧力値ＰＲを、通信回線７０を介して精度確認装置６０のＣＰＵ８０へ送信する（ステップＳ３８）。ＣＰＵ５０は、圧力値ＰＲを送信すると、これに対する気密性判定結果の受信待機状態となる。
【００９３】
そして、測定用エア系２３の気密性判定結果の受信が得られると（ステップＳ３９）、ＣＰＵ５０は、判定結果に、タイマ部５４により得られる測定用エア系２３の気密性の診断動作を実行した日時を関連付けてメモリ部５２に格納する（ステップＳ４０）。
【００９４】
さらに、ＣＰＵ５０は、メモリ部５２に格納された判定結果に基づいて、血圧測定動作の実行が可能か否かを判断する。この判断結果により、図６および図７で示したような表示が表示部４になされる（ステップＳ４１）。
【００９５】
これに対して、精度確認装置６０側では、まず、血圧計１から送信される精度確認要求の受信待機状態にある（ステップＳ５１）。血圧計１からの精度確認要求が受信されると（ステップＳ５１にてＹＥＳ）、ＣＰＵ８０は、診断項目スイッチ６４６（図１）から入力される操作信号に基づいて、選択された診断項目が測定用エア系２３の気密性であるか否かを判断する（ステップＳ５２）。選択された診断項目が測定用エア系２３の気密性であると判断されると（ステップＳ５２にてＹＥＳ）、ＣＰＵ８０は、測定スイッチ３０４（図１）の操作があったことに連動してＣＰＵ５０が発生する測定開始要求の受信待機状態となる。
【００９６】
そして、測定開始要求の受信が得られると（ステップＳ５３）、ＣＰＵ８０は、さらに、血圧計１のＣＰＵ５０からの圧力検出値ＰＲの受信待機状態となる。
【００９７】
ＣＰＵ５０から圧力検出値ＰＲの受信が得られると（ステップＳ５４）、ＣＰＵ８０は、圧力検出値ＰＲと所定の圧力基準値ＰＰとの圧力偏差（＝｜ＰＰ−ＰＲ｜）を演算し、その演算した圧力偏差が予め設定された所定の閾値Ｙ以下であるか否かを判断する（ステップＳ５５）。演算した圧力偏差が所定の閾値Ｙ以下である場合には、ＣＰＵ８０は、測定用エア系２３の気密性が正常であると判定する（ステップＳ５６）。これに対して、演算した圧力偏差が所定の閾値Ｙを上回る場合には、ＣＰＵ８０は、測定用エア系２３の気密性が異常であると判定する（ステップＳ５７）。そして、ＣＰＵ８０は、これらの判定結果を、通信回線７０を介して血圧計１のＣＰＵ５０へ送信する（ステップＳ５８）。さらに、ＣＰＵ８０は、判定結果を表示部６２に表示する処理を行なう（ステップＳ５９）。
【００９８】
なお、図１１のフローチャートを実行することにより、測定用エア系２３の気密性を診断する以外に、圧力センサ２０の動特性を診断することも可能である。
【００９９】
図１２は、圧力センサ２０の動特性を診断する場合における圧力発生パターンを示す図である。図１２の圧力発生パターンは、図１０で示した圧力発生パターンと同じである。
【０１００】
すなわち、ＣＰＵ５０は、ポンプ２４を所定時間Ｔ１動作させることにより、エア管１０内の圧力を所定の圧力基準値ＰＰまで加圧し、その後、所定時間Ｔ２だけ待機状態とする。そして、所定時間Ｔ２の経過後に、ＣＰＵ５０は、エア管１０内の圧力を圧力センサ２０で検出して、その検出した圧力値をＣＰＵ８０へ送信する。
【０１０１】
このとき、圧力センサ２０の動特性が正常であれば、図１２のラインＬＮ１で示すように、エア管１０内の圧力は時刻ｔ２以降において略一定値を示す。その一方で、圧力センサ２０の動特性が異常である場合には、図１２のラインＬＮ２で示すように、エア管１０内の圧力は、所定の圧力基準値ＰＰから大きく外れた値を示す。
【０１０２】
したがって、ＣＰＵ８０は、検出された圧力値ＰＲと所定の圧力基準値ＰＰとの圧力偏差が所定の閾値以下である場合には、圧力センサ２０の動特性が正常であると判断する。一方、検出された圧力値ＰＲと所定の圧力基準値ＰＰとの圧力偏差が所定の閾値を上回る場合には、圧力センサ２０の動特性が異常であると判断する。
【０１０３】
（ポンプの動特性診断）
次に、血圧計１のポンプ２４の動特性を診断する動作について説明する。
【０１０４】
図１３は、ポンプ２４の動特性を診断する場合における圧力発生パターンを示す図である。
【０１０５】
図１３を参照して、ポンプ２４の動特性が診断項目に選択された場合には、血圧計１において、ＣＰＵ５０が駆動回路２６を制御して、ポンプ２４を最大能力で所定時間Ｔ３動作させることにより、エア管１０内を加圧する。このときの所定時間Ｔ３は、ポンプ２４がエア管１０内の圧力を所定の圧力基準値ＰＰ以上に加圧するのに十分な時間に予め設定されている。
【０１０６】
所定時間Ｔ３の経過後、ＣＰＵ５０は、所定時間Ｔ４だけ測定用エア系２３の動作を停止させて待機状態とする。そして、所定時間Ｔ４が経過した時刻ｔ４において、ＣＰＵ５０は、エア管１０内の圧力を圧力センサ２０で検出し、その検出した圧力値ＰＲを、通信回線７０を介してＣＰＵ８０へ送信する。ＣＰＵ８０は、その検出された圧力値ＰＲと所定の圧力基準値ＰＰとを比較する。
【０１０７】
このとき、ポンプ２４の動特性が正常であれば、図１３のラインＬＮ４で示すように、エア管１０内の圧力は所定の圧力基準値ＰＰ以上となる。その一方で、ポンプ２４の動特性が異常である場合には、図１３のラインＬＮ５で示すように、エア管１０内の圧力は所定の圧力基準値ＰＰを大きく下回る。
【０１０８】
したがって、ＣＰＵ８０は、検出された圧力値ＰＲが所定の圧力基準値ＰＰ以上である場合には、ポンプ２４の動特性が正常であると判断する。一方、検出された圧力値ＰＲが所定の圧力基準値ＰＰを下回る場合には、ポンプ２４の動特性が異常であると判断する。そして、ＣＰＵ８０は、この判断結果を表示部６２に表示させる。表示部６２には、図１に示すように、血圧計１の測定精度の判定結果に併せて、ポンプ２４の動特性についての判定結果が表示される。
【０１０９】
図１４は、血圧計１におけるＣＰＵ５０および精度確認装置６０におけるＣＰＵ８０が実行する血圧計１におけるポンプ２４の動特性の診断動作を説明するためのフローチャートである。図１４のフローチャートは、予めプログラムとしてメモリ部５２，８８に格納されて、ＣＰＵ５０，８０によりそれぞれ読出されて実行される。なお、図１４に示される処理は、たとえば血圧計１の電源スイッチ３０２および精度確認装置６０の電源スイッチ６４２が操作された後に、ＣＰＵ５０，８０に電力が供給された場合に開始される処理である。
【０１１０】
図１４を参照して、まず、血圧計１側では、ＣＰＵ５０は、精度確認モードスイッチ３０６（図１）の操作の有無を判断する（ステップＳ７１）。精度確認モードスイッチ３０６の操作があったことが検知されると（ステップＳ７１でＹＥＳ）、ＣＰＵ５０は、血圧計１の動作モードを精度確認モードに設定する。また、ＣＰＵ５０は、精度確認要求を発生してＣＰＵ８０に対して送信する。
【０１１１】
さらに、ＣＰＵ５０は、精度確認装置６０のＣＰＵ８０からユーザが選択した診断項目を受信すると、選択された診断項目が血圧計１のポンプ２４の動特性であるか否かを判断する（ステップＳ７２）。選択された診断項目がポンプ２４の動特性であると判断されると（ステップＳ７２にてＹＥＳ）、ＣＰＵ５０は、所定の圧力発生パターン（図１３）に従ってエア管１０内に圧力を発生し、そのときの圧力変化を圧力センサ２０で検出する。
【０１１２】
具体的には、ＣＰＵ５０は、測定スイッチ３０４（図１）の操作の有無を判断する（ステップＳ７３）。そして、測定スイッチ３０４の操作があったことが検知されると（ステップＳ７３にてＹＥＳ）、ＣＰＵ５０は、血圧計１の初期化処理として、各部を制御して精度確認装置６０内部のエア管９０内の空気を排気し、圧力センサ２０の０ｍｍＨｇ補正を行なう（ステップＳ７４）。
【０１１３】
次に、ＣＰＵ５０は、各部を制御して、ポンプ２４を最大能力で駆動させることにより、エア管１０内の圧力を所定時間Ｔ３加圧する（ステップＳ７５）。これにより、エア管１０内の圧力は所定の圧力基準値ＰＰ以上に加圧される。そして、ＣＰＵ５０は、測定用エア系２３を所定時間Ｔ４だけ待機状態とした後（ステップＳ７６）、エア管１０内の圧力を圧力センサ２０で検出する（ステップＳ７７）。ＣＰＵ５０は、検出された圧力値ＰＲを通信回線７０を介して精度確認装置６０のＣＰＵ８０へ送信する（ステップＳ７８）。ＣＰＵ５０は、圧力値ＰＲを送信すると、これに対するポンプ２４の動特性判定結果の受信待機状態となる。
【０１１４】
そして、ポンプ２４の動特性の判定結果が受信されると（ステップＳ７９）、ＣＰＵ５０は、判定結果に、タイマ部５４により得られるポンプ２４の動特性の診断動作を実行した日時を関連付けてメモリ部５２に格納する（ステップＳ８０）。
【０１１５】
さらに、ＣＰＵ５０は、メモリ部５２に格納された判定結果に基づいて、血圧測定動作の実行が可能か否かを判断する。この判断結果により、図６および図７で示したような表示が表示部４になされる（ステップＳ８１）。
【０１１６】
これに対して、精度確認装置６０側では、まず、血圧計１から送信される精度確認要求の受信待機状態にある（ステップＳ９１）。血圧計１からの精度確認要求が受信されると（ステップＳ９１にてＹＥＳ）、ＣＰＵ８０は、診断項目スイッチ（図１）から入力される操作信号に基づいて、選択された診断項目がポンプ２４の動特性であるか否かを判断する（ステップＳ９２）。選択された診断項目がポンプ２４の動特性であると判断されると（ステップＳ９２にてＹＥＳ）、ＣＰＵ８０は、測定スイッチ３０４（図１）の操作があったことに連動してＣＰＵ５０が発生する測定開始要求の受信待機状態となる。
【０１１７】
そして、測定開始要求の受信が得られると（ステップＳ９３）、ＣＰＵ８０は、さらに、血圧計１のＣＰＵ５０からの圧力検出値ＰＲの受信待機状態となる。
【０１１８】
ＣＰＵ５０から圧力検出値ＰＲの受信が得られると（ステップＳ９４）、ＣＰＵ８０は、圧力検出値ＰＲが所定の圧力基準値ＰＰ以上であるか否かを判断する（ステップＳ９５５）。圧力検出値ＰＲが所定の圧力基準値ＰＰ以上である場合には、ＣＰＵ８０は、ポンプ２４の動特性が正常であると判定する（ステップＳ９６）。これに対して、圧力検出値ＰＲが所定の圧力基準値ＰＰを下回る場合には、ＣＰＵ８０は、ポンプ２４の動特性が異常であると判定する（ステップＳ９７）。そして、ＣＰＵ８０は、これらの判定結果を、通信回線７０を介して血圧計１のＣＰＵ５０へ送信する（ステップＳ９８）。さらに、ＣＰＵ８０は、判定結果を表示部６２に表示する処理を行なう（ステップＳ９９）。
【０１１９】
（弁の動特性診断）
最後に、血圧計１の弁２８の動特性を診断する動作について説明する。
【０１２０】
図１５は、弁２８の動特性を診断する場合における圧力発生パターンを示す図である。
図１５を参照して、弁２８の動特性が診断項目に選択された場合には、血圧計１において、ＣＰＵ５０が駆動回路２６を制御してポンプ２４を予め設定された所定時間Ｔ５動作させることにより、エア管１０内を加圧する。そして、所定時間Ｔ５が経過した時刻ｔ５において、ＣＰＵ５０は、弁２８を開状態として測定用エア系２３を大気に開放することにより減圧を開始する。そして、ＣＰＵ５０は、時刻ｔ５以降におけるエア管１０内の圧力を圧力センサ２０で検出し、その検出した圧力値とタイマ部５４からの計時情報とに基づいて圧力値の減少速度（以下、減圧速度）Ｖｐを演算する。ＣＰＵ５０は、演算した減圧速度Ｖｐを通信回線７０を介してＣＰＵ８０へ送信する。ＣＰＵ８０は、その演算された減圧速度Ｖｐが、予め設定された減圧速度の範囲内にあるか否かを判断する。
【０１２１】
このとき、弁２８の動特性が正常であれば、図１５のラインＬＮ６で示すように、エア管１０内の圧力は所定の設定範囲内の減圧速度で減少する。その一方で、弁２８の動特性が異常である場合には、図１５のラインＬＮ７で示すように、エア管１０内の圧力は所定設定範囲外の減圧速度で減少する。
【０１２２】
したがって、ＣＰＵ８０は、演算された減圧速度Ｖｐが所定の設定範囲内である場合には、弁２８の動特性が正常であると判断する。一方、演算された減圧速度Ｖｐが所定の設定範囲外である場合には、弁２８の動特性が異常であると判断する。そして、ＣＰＵ８０は、この判断結果を表示部６２に表示させる。表示部６２には、図１に示すように、血圧計１の測定精度の判定結果に併せて、弁２８の動特性についての判定結果が表示される。
【０１２３】
図１６は、血圧計１におけるＣＰＵ５０および精度確認装置６０におけるＣＰＵ８０が実行する血圧計１における弁２８の動特性の診断動作を説明するためのフローチャートである。図１６のフローチャートは、予めプログラムとしてメモリ部５２，８８に格納されて、ＣＰＵ５０，８０によりそれぞれ読出されて実行される。なお、図１６に示される処理は、たとえば血圧計１の電源スイッチ３０２および精度確認装置６０の電源スイッチ６４２が操作された後に、ＣＰＵ５０，８０に電力が供給された場合に開始される処理である。
【０１２４】
図１６を参照して、まず、血圧計１側では、ＣＰＵ５０は、精度確認モードスイッチ３０６（図１）の操作の有無を判断する（ステップＳ１１１）。精度確認モードスイッチ３０６の操作があったことが検知されると（ステップＳ１１１でＹＥＳ）、ＣＰＵ５０は、血圧計１の動作モードを精度確認モードに設定する。また、ＣＰＵ５０は、精度確認要求を発生してＣＰＵ８０に対して送信する。
【０１２５】
さらに、ＣＰＵ５０は、精度確認装置６０のＣＰＵ８０からユーザが選択した診断項目を受信すると、選択された診断項目が血圧計１の弁２８の動特性であるか否かを判断する（ステップＳ１１２）。選択された診断項目が弁２８の動特性であると判断されると（ステップＳ１１２にてＹＥＳ）、ＣＰＵ５０は、所定の圧力発生パターン（図１５）に従ってエア管１０内を加圧した後に減圧を開始し、そのときの圧力変化を圧力センサ２０で検出する。
【０１２６】
具体的には、ＣＰＵ５０は、測定スイッチ３０４（図１）の操作の有無を判断する（ステップＳ１１３）。そして、測定スイッチ３０４の操作があったことが検知されると（ステップＳ１１３にてＹＥＳ）、ＣＰＵ５０は、血圧計１の初期化処理として、各部を制御して精度確認装置６０内部のエア管９０内の空気を排気し、圧力センサ２０の０ｍｍＨｇ補正を行なう（ステップＳ１１４）。
【０１２７】
次に、ＣＰＵ５０は、各部を制御して、エア管１０内の圧力を所定時間Ｔ５加圧する（ステップＳ１１５）。その後、ＣＰＵ５０は、弁２８を開状態とすることにより、減圧を開始するとともに（ステップＳ１１６）、エア管１０内の圧力を圧力センサ２０で検出する。ＣＰＵ５０は、検出した圧力値およびタイマ部５４からの計時情報に基づいて減圧速度Ｖｐを演算し（ステップＳ１１７）、その演算した減圧速度Ｖｐを通信回線７０を介して精度確認装置６０のＣＰＵ８０へ送信する（ステップＳ１１８）。ＣＰＵ５０は、減圧速度Ｖｐを送信すると、これに対する弁２８の動特性判定結果の受信待機状態となる。
【０１２８】
そして、弁２８の動特性の判定結果が受信されると（ステップＳ１１９）、ＣＰＵ５０は、判定結果に、タイマ部５４により得られる弁２８の動特性の診断動作を実行した日時を関連付けてメモリ部５２に格納する（ステップＳ１２０）。
【０１２９】
さらに、ＣＰＵ５０は、メモリ部５２に格納された判定結果に基づいて、血圧測定動作の実行が可能か否かを判断する。この判断結果により、図６および図７で示したような表示が表示部４になされる（ステップＳ１２１）。
【０１３０】
これに対して、精度確認装置６０側では、まず、血圧計１から送信される精度確認要求の受信待機状態にある（ステップＳ１３１）。血圧計１からの精度確認要求が受信されると（ステップＳ１３１にてＹＥＳ）、ＣＰＵ８０は、診断項目スイッチ６４６（図１）から入力される操作信号に基づいて、選択された診断項目が弁２８の動特性であるか否かを判断する（ステップＳ１３２）。選択された診断項目が弁２８の動特性であると判断されると（ステップＳ１３２にてＹＥＳ）、ＣＰＵ８０は、測定スイッチ３０４（図１）の操作があったことに連動してＣＰＵ５０が発生する測定開始要求の受信待機状態となる。
【０１３１】
そして、測定開始要求の受信が得られると（ステップＳ１３３）、ＣＰＵ８０は、さらに、血圧計１のＣＰＵ５０からの減圧速度Ｖｐの受信待機状態となる。
【０１３２】
ＣＰＵ５０から減圧速度Ｖｐの受信が得られると（ステップＳ１３４）、ＣＰＵ８０は、減圧速度Ｖｐが所定の設定範囲内であるか否かを判断する（ステップＳ１３５）。減圧速度Ｖｐが所定の設定範囲内である場合には、ＣＰＵ８０は、弁２８の動特性が正常であると判定する（ステップＳ１３６）。これに対して、減圧速度Ｖｐが所定の設定範囲外である場合には、ＣＰＵ８０は、弁２８の動特性が異常であると判定する（ステップＳ１３７）。そして、ＣＰＵ８０は、これらの判定結果を、通信回線７０を介して血圧計１のＣＰＵ５０へ送信する（ステップＳ１３８）。さらに、ＣＰＵ８０は、判定結果を表示部６２に表示する処理を行なう（ステップＳ１３９）。
【０１３３】
［変形例］
第１の実施の形態においては、精度確認装置６０が血圧計１の測定精度を判定する構成としたが、血圧計１側で測定精度を判定する構成とすることもできる。
【０１３４】
図１７は、第１の実施の形態の変形例に係る血圧計の測定精度確認システムにおいて、血圧計１の測定精度の確認動作を行なうための機能構成の具体例を示すブロック図である。図１７に示される機能は、ＣＰＵ５０，８０がメモリ部５２，８８に記憶されている所定のプログラムをそれぞれ実行することで、ＣＰＵ５０，８０により実行される機能である。また、図１７に示される機能のうちの一部または全部が、ハードウェアによって実現されてもよい。
【０１３５】
図１７を参照して、血圧計１の測定精度確認動作を行なうための機能は、血圧計１のＣＰＵ５０により実現される精度確認モード設定部５０２、圧力測定部５０４、測定精度判定部５１２、測定精度管理部５０６および表示処理部５０８と、精度確認装置６０のＣＰＵ８０により実現される圧力測定部８０２および表示処理部８０６とを含む。
【０１３６】
図１７に示す機能構成は、図３で示した機能構成のうち、ＣＰＵ８０により実現される測定精度判定部８０４を、ＣＰＵ５０により実現される測定精度判定部５１２に変更したものである。したがって、図３の構成と重複する部位についての詳細な説明は省略する。  
【０１３７】
本変形例において、コネクタ６（図１）は、コネクタ６と接続用プラグ９２との連結状態を検出するための連結検出センサ（図示せず）を含んでいる。ＣＰＵ５０により実現される精度確認モード設定部５０２は、この連結検出センサからの連結信号によって測定精度確認動作が実行可能な状態になったことを検出し、血圧計１の動作モードを精度確認モードに設定する。そして、精度確認モード設定部５０２は、圧力測定部５０４，８００に対して精度確認要求を発生して、血圧計１の測定精度確認動作を実行する。
【０１３８】
具体的には、圧力測定部８０２は、上述した方法によって、圧力測定部５０４から送信される測定開始要求に応答して、通常の血圧測定時において血圧計１の圧力センサ２０にて検出される被測定部位の脈圧の変化を再現させた疑似脈波を発生する。そして、圧力測定部８０２は、エア管９０の内圧変化を圧力センサ８２で検出し、その検出した圧力に基づき最高圧力値を算出する。そして、算出された最高圧力値を通信回線７０を介して測定精度判定部５１２へ送信する。
【０１３９】
圧力測定部５０４は、測定スイッチ３０４（図１）の操作による操作信号の入力を受付けて、血圧測定処理を実行する。圧力測定部５０４は、圧力センサ２０で検出された内圧変化に基づいて血圧（最高血圧）値を算出し、その算出した最高血圧値を測定精度判定部５１２へ出力する。
【０１４０】
測定精度判定部５１２は、圧力測定部５０４から最高血圧値を受け、圧力測定部８０２から最高圧力値を受けると、これら２つの圧力値の圧力偏差を演算する。そして、演算した圧力偏差に基づいて血圧計１の測定精度を判定する。詳細な測定精度の判定方法は、上述した測定精度判定部８０４における判定方法と同じである。測定精度判定部５１２は、測定精度の判定結果を測定精度管理部５０６および表示処理部５０８へ出力する。
【０１４１】
測定精度管理部５０６は、測定精度の判定結果の入力を受付けて、メモリ部５２へのデータ格納処理を行なうとともに、上述した方法によって、血圧測定動作の実行が可能か否かを判断する。表示処理部５０８は、測定精度の判定結果を表示部４に表示する処理を行なうとともに、血圧測定動作の実行が可能か否かの判断結果を表示部４に表示する処理を行なう。さらに、測定精度管理部５０６が、メモリ部５２に格納された測定精度の判定結果およびタイマ部５４からの計時情報に基づいて、血圧計１の測定精度確認動作が必要であると判断した場合には、表示処理部５０８は、ユーザに対する測定精度確認動作の実行を促す通知を表示部４に表示する処理を行なう。
【０１４２】
図１８は、表示部４における表示例を示す図である。図１８に示すように、表示部４は、血圧測定の日時における血圧計１の測定精度を示す測定精度データを表示するための表示領域４８と、測定精度確認動作により得られた判定結果を示す表示領域４８０とを含んでいる。
【０１４３】
以上の構成とすることにより、ユーザは、精度確認装置６０に血圧計１を接続させた状態において血圧計１に通常の血圧測定動作を実行させることによって、血圧計１の測定精度を確認することができる。その結果、血圧計１の本体２に圧力センサを２個設置する必要がなくなるため、簡易かつ低廉な装置構成で血圧計１の測定精度を確認することができる。
【０１４４】
また、血圧計１の測定精度を維持するためには、定期的に測定精度の確認動作を行なえばよいことから、例えば、精度確認装置６０を複数個の血圧計で共用する構成とすることにより、ユーザが個別に精度確認装置６０を所有する必要がなくなり、より一層の低コスト化を図ることができる。
【０１４５】
さらに、血圧計１の測定精度が所定の水準を満たしていないと判定された場合には、ユーザに対して血圧測定動作が不能である旨を通知する、もしくは、強制的に血圧測定動作を禁止する構成とすることにより、測定精度が異常な状態のままで血圧測定動作が継続されるのを回避することができる。また、定期的に測定精度の確認が行なわれるように、ユーザに対して測定精度確認動作の実行を促す通知を行なう構成とすることにより、血圧計１の測定精度を高い状態で維持することができる。その結果、測定精度に対する信頼性を向上できるとともに、日常の血圧測定管理の実効性を高めることができる。
【０１４６】
［第２の実施の形態］
第２の実施の形態においては、血圧計１と精度確認装置６０との間で通信を行なうことなく、血圧計１側に測定精度の確認機能を持たせた血圧計の測定精度確認システムについて説明する。なお、実施の形態２の血圧計の測定精度確認システムのハードウェア構成は、基本的に実施の形態１の血圧計の測定精度確認システムの構成と同様であり、以下に説明するように、通信回線７０を有しない点、および、測定精度の確認動作が血圧計１側で行なわれる点で異なる。
【０１４７】
図１９は、この発明の実施の形態２に係る血圧計の測定精度確認システムの外観の概略図である。
【０１４８】
図１９を参照して、実施の形態２に係る血圧計の測定精度確認システムは、血圧計１Ａと、精度確認装置６０Ａと、接続用プラグ９２とを備える。
【０１４９】
血圧計１Ａに対して測定精度の確認動作を行なう場合には、接続用プラグ９２が血圧計１の本体２Ａに設けられたコネクタ６に連結される。
【０１５０】
血圧計１Ａは、本体２Ａと、測定部位である上腕に巻付けるカフ５とを備え、それらがエア管１０で接続される。本体２Ａの正面には、スイッチ等の操作部３Ａと、測定結果を表示する表示部４Ａとが配備される。
【０１５１】
操作部３Ａは、電源のオン／オフを指示するための電源スイッチ３０２と、測定の開始／停止を指示するための測定スイッチ３０４と、精度確認モードスイッチ３０６と、診断項目の選択を指示するための診断項目スイッチ３０８とを含む。
【０１５２】
表示部４Ａは、測定結果を表示するための表示領域４０〜４６を含む。表示領域４０〜４４には、最高血圧を示す最高血圧データ、最低血圧を示す最低血圧データおよび脈拍数を示す脈拍数データがそれぞれ表示される。表示領域４６には、血圧測定の日時を示す時刻データが表示される。
【０１５３】
表示部４Ａは、さらに、血圧測定の日時における血圧計１の測定精度を示す測定精度データを表示するための表示領域４８と、精度確認モードの実行時において取得された測定精度の確認結果を表示するための表示領域４８０とを含む。
【０１５４】
精度確認装置６０Ａは、精度確認モードを実行する場合に、接続用プラグ９２が血圧計１Ａの本体２Ａのコネクタ６に連結されることで、内部のエア系が本体２Ａに内蔵された測定用エア系（ともに図示せず）に連通される。精度確認装置６０Ａは、スイッチ等の操作部６４Ａと、測定精度の確認結果を表示する表示部６２Ａとを備える。
【０１５５】
操作部６４は、電源のオン／オフを指示するための電源スイッチ６４２と、加圧の開始を指示するための加圧スイッチ６４８と、診断項目の選択を指示するための診断項目スイッチ３０８とを含む。
【０１５６】
図２０は、血圧計１Ａおよび精度確認装置６０Ａのハードウェア構成の具体例を示すブロック図である。
【０１５７】
図２０を参照して、血圧計１Ａは、本体２Ａと、測定部位である上腕に巻付けるカフ５とを備え、それらがエア管１０で接続される。本体２Ａの正面には、スイッチ等の操作部３Ａと、測定結果等を表示する表示部４Ａとが配備される。カフ５には空気袋８が配置され、カフ５を測定部位である上腕に巻付けることで空気袋８が測定部位に押付けられる。
【０１５８】
空気袋８は、測定用エア系２０に接続されている。測定用エア系２０は、空気袋８の内圧変化を測定する圧力センサ２０と、空気袋８に対する給気／排気を行なうポンプ２４と、弁２８とを含む。
【０１５９】
また、血圧計１Ａの本体２Ａ内には、血圧計１Ａ全体を制御するＣＰＵ５０Ａと、測定用エア系２０に接続されるＡ／Ｄ変換器２２、ポンプ２４を駆動する駆動回路２６および弁２８の開閉を調整する駆動回路３０と、測定日時を得るためのタイマ部５４と、ＣＰＵ５０で実行されるプログラムや測定結果を記憶するメモリ部５２とが含まれる。
【０１６０】
ＣＰＵ５０Ａは、電源スイッチ３０２（図１９）の操作による操作信号が入力されると、各部への電源供給を行ない、その後、次の操作信号の入力に対する待ち受け状態となる。そして、測定スイッチ３０４（図１９）の操作による操作信号の入力を受けると、動作モードとして「血圧測定モード」を選択し、一連の血圧測定動作を実行する。
【０１６１】
その一方で、待ち受け状態において精度確認モードスイッチ３０６（図１９）の操作による操作信号の入力を受けると、動作モードとして「精度確認モード」を選択し、一連の測定精度確認動作を実行する。
【０１６２】
血圧計１Ａは、測定精度確認動作を実行するための構成として、コネクタ６をさらに備える。血圧計１Ａに対して測定精度の確認動作を行なう場合には、精度確認装置６０Ａ側の接続用プラグ９２がコネクタ６に連結されることで、本体２Ａ内の測定用エア系２３が精度確認装置６０のエア系（エア管９０）に連通される。
【０１６３】
なお、接続用プラグ９２は、上述したように、精度確認装置６０Ａのエア管９０を測定用エア系２０に連通させる一方で、空気袋８に対しては遮断するように構成されている。
【０１６４】
精度確認装置６０Ａは、精度確認装置６０Ａ全体を制御するＣＰＵ８０Ａと、エア管９０に接続される圧力センサ８２および圧力発生部８４と、表示部６２Ａと、計時動作して計時データを出力するタイマ部８６と、スイッチ等の操作部６４Ａと、ＣＰＵ８０Ａで実行されるプログラムを格納するためのメモリ部８８とを含む。
【０１６５】
ＣＰＵ８０Ａは、操作部６４Ａから入力される操作信号に基づいてメモリ部８８に記憶されている所定のプログラムを実行し、圧力発生部８４に制御信号を出力する。圧力発生部８４は、制御信号に従って予め設定された圧力発生パターンに基づいて圧力を発生する。
【０１６６】
圧力センサ８２は、エア管９０の内圧変化を検出し、検出信号を図示しない増幅器に入力する。入力された圧力信号は、増幅器において所定振幅まで増幅され、図示しないＡ／Ｄ変換器においてデジタル信号に変換された後にＣＰＵ８０Ａに入力される。ＣＰＵ８０Ａは、圧力センサ８２から得られたエア管９０の内圧変化に基づいて所定の処理を実行し、その結果に応じて圧力発生部８４に上記制御信号を出力する。
【０１６７】
図２１は、血圧計１Ａの測定精度の確認動作を行なうための機能構成の具体例を示すブロック図である。図２１に示される機能は、ＣＰＵ５０Ａ，８０Ａがメモリ部５２，８８に記憶されている所定のプログラムをそれぞれ実行することで、ＣＰＵ５０Ａ，８０Ａにより実行される機能である。また、図２１に示される機能のうちの一部または全部が、ハードウェアによって実現されてもよい
図２１を参照して、血圧計１Ａの測定精度確認動作を行なうための機能は、血圧計１ＡのＣＰＵ５０Ａにより実現される精度確認モード設定部５０２、圧力測定部５０４、測定精度判定部５１２、測定精度管理部５０６および表示処理部５０８と、精度確認装置６０ＡのＣＰＵ８０Ａにより実現される圧力測定部８０２および表示処理部８０６とを含む。  
【０１６８】
精度確認モード設定部５０２は、精度確認モードスイッチ３０６（図１９）の操作による操作信号の入力に応答して、血圧計１の動作モードを精度確認モードに設定する。そして、精度確認モード設定部５０２は、圧力測定部５０４に対して精度確認要求を発生して、血圧計１の測定精度確認動作を実行する。
【０１６９】
なお、血圧計１における精度確認モードの設定については、精度確認モードスイッチ３０６からの操作信号に応答して行なう以外に、コネクタ６に設置されて、コネクタ６と接続用プラグ９２との連結状態を検出するための連結検出センサからの連結信号によって測定精度確認動作が実行可能な状態になったことを検出して行なうことも可能である。あるいは、精度確認装置６０Ａのエア管９０から血圧計１Ａのエア管１０に対して出力される圧力信号を検出して行なう構成としてもよい。
【０１７０】
圧力測定部８０２は、操作部６４Ａの加圧スイッチ６４８（図１９）の操作による操作信号の入力を受付けて、通常の血圧測定時において血圧計１Ａの圧力センサ２０にて検出される被測定部位の脈圧の変化を再現させた疑似脈波を発生する。この疑似脈波は、図４で示したような波形を有しており、圧力の最高値（最高圧力値）が所定値（たとえば１２０ｍｍＨｇ）となるように予め設定されている。
【０１７１】
圧力測定部５０４は、測定スイッチ３０４（図１９）の操作による操作信号の入力を受付けて、血圧測定処理を実行する。圧力測定部５０４は、圧力センサ２０で検出された圧力に基づき血圧（最高血圧）値を算出し、その算出した最高血圧値を測定精度判定部５１２へ出力する。
【０１７２】
測定精度判定部５１２は、圧力測定部５０４から最高血圧値を受けると、最高血圧値と予め設定されている疑似脈波の最高血圧値（たとえば１２０ｍｍＨｇ）との圧力偏差を演算する。そして、演算した圧力偏差に基づいて血圧計１Ａの測定精度を判定する。
【０１７３】
具体的には、測定精度判定部５１２は、演算した圧力偏差が予め設定された所定の閾値以下であるか否かを判断する。演算した圧力偏差が所定の閾値以下である場合には、測定精度判定部５１２は、血圧計１Ａの測定精度が所定の水準を満たしており、正常であると判定する。これに対して、演算した圧力偏差が所定の閾値を上回る場合には、測定精度判定部５１２は、血圧計１Ａの測定精度が所定の水準を満たしておらず、異常であると判定する。そして、測定精度判定部５１２は、測定精度の判定結果を表示処理部５０８へ出力する。表示処理部５０８は、測定精度の判定結果を表示部４Ａに表示する処理を行なう。
【０１７４】
測定精度判定部５１２は、さらに、測定精度の判定結果を測定精度管理部５０６へ出力する。測定精度管理部５０６は、測定精度の判定結果の入力を受付けて、メモリ部５２へのデータ格納処理を行なう。このとき、測定精度の判定結果は、タイマ部５４により得られる測定精度確認動作を実行した日時と関連付けされてメモリ部５２に格納される。
【０１７５】
そして、測定精度管理部５０６は、メモリ部５２に格納された測定精度の判定結果に基づいて、血圧測定動作の実行が可能か否かを判断する。測定精度が所定の水準を満たし、正常であると判定された場合には、測定精度管理部５０６は、血圧測定動作の実行が可能であると判断する。表示処理部５０８は、この判断結果を表示部４に表示する処理を行なう。これに対して、測定精度が所定の水準を満たさず、異常であると判定された場合には、測定精度管理部５０６は、血圧測定動作が実行不能と判断する。表示処理部５０８は、この判断結果を表示部４に表示する処理を行なう。
【０１７６】
なお、血圧測定動作が実行不能と判断された場合には、ユーザに対する警告に加えて、次回以降の血圧測定動作を禁止するための処理を行なう構成としてもよい。
【０１７７】
さらに、測定精度管理部５０６は、メモリ部５２に格納された測定精度の判定結果およびタイマ部５４からの計時情報に基づいて、血圧計１の測定精度確認動作が必要であるか否かを判断する。具体的には、測定精度管理部５０６は、予め定められた頻度で測定精度の確認が行なわれるように、前回の測定精度確認動作を行なった日時からの経過時間を、タイマ部５４を用いて計時し、その計時した経過時間が所定の基準時間を超えたか否かを判断する。経過時間が所定の基準時間を超えた場合には、測定精度管理部５０６は、測定精度確認動作が必要であると判断する。表示処理部５０８は、この判断結果を、ユーザに対する測定精度確認動作の実行を促す通知として、表示部４Ａに表示する処理を行なう。
【０１７８】
図２２は、血圧計１ＡにおけるＣＰＵ５０Ａおよび精度確認装置６０ＡにおけるＣＰＵ８０Ａが実行する血圧計１Ａの測定精度確認動作を説明するためのフローチャートである。図２２のフローチャートは、予めプログラムとしてメモリ部５２，８８に格納されて、ＣＰＵ５０Ａ，８０Ａによりそれぞれ読出されて実行される。なお、図２２に示される処理は、たとえば血圧計１Ａの電源スイッチ３０２および精度確認装置６０Ａの電源スイッチ６４２が操作された後に、ＣＰＵ５０Ａ，８０Ａに電力が供給された場合に開始される処理である。
【０１７９】
図２２を参照して、まず、血圧計１Ａ側では、ＣＰＵ５０Ａは、精度確認モードスイッチ３０６（図１９）の操作の有無を判断する（ステップＳ１５１）。精度確認モードスイッチ３０６の操作があったことが検知されると（ステップＳ１５１でＹＥＳ）、ＣＰＵ５０Ａは、血圧計１Ａの動作モードを精度確認モードに設定する。
【０１８０】
さらに、ＣＰＵ５０Ａは、診断項目スイッチ３０８（図１９）の操作による操作信号に基づいて、選択された診断項目が血圧計１の測定精度であるか否かを判断する（ステップＳ１５２）。選択された診断項目が血圧計１の測定精度であると判断されると（ステップＳ１５２にてＹＥＳ）、ＣＰＵ５０Ａは、Ｓ１５３〜Ｓ１５７に示す血圧測定のための処理を実行する。この処理は、血圧計１Ａが血圧測定モードにある場合に、血圧測定のために実行する処理と同じである。
【０１８１】
具体的には、ＣＰＵ５０Ａは、測定スイッチ３０４（図１９）の操作の有無を判断する（ステップＳ１５３）。そして、測定スイッチ３０４の操作があったことが検知されると（ステップＳ１５３にてＹＥＳ）、ＣＰＵ５０Ａは、血圧計１Ａの初期化処理として、各部を制御して精度確認装置６０内部のエア管９０内の空気を排気し、圧力センサ２０の０ｍｍＨｇ補正を行なう（ステップＳ１５４）。
【０１８２】
次に、ＣＰＵ５０Ａは、各部を制御して、エア管９０内の圧力を疑似脈波の最高圧力＋４０ｍｍＨｇ程度にまで加圧する（ステップＳ１５５）。そして、徐々にエア管９０内の圧力を減圧していく（ステップＳ１５６）。この減圧過程においてエア管９０内の圧力を圧力センサ２０で検出して、ＣＰＵ５０Ａは検出された圧力に基づき血圧（最高血圧）値ＤＲを算出する（ステップＳ１５７）。
【０１８３】
そして、ＣＰＵ５０Ａは、算出された最高血圧値ＤＲと予め設定された疑似脈波の最高血圧値ＤＰとの圧力偏差（＝｜ＤＰ−ＤＲ｜）を演算し、その演算した圧力偏差が予め設定された所定の閾値Ｘ以下であるか否かを判断する（ステップＳ１５８）。演算した圧力偏差が所定の閾値Ｘ以下である場合には、ＣＰＵ５０Ａは、血圧計１Ａの測定精度が所定の水準を満たしており、正常であると判定する（ステップＳ１５９）。これに対して、演算した圧力偏差が所定の閾値Ｘを上回る場合には、ＣＰＵ５０Ａは、血圧計１Ａの測定精度が所定の水準を満たしておらず、異常であると判定する（ステップＳ１６０）。そして、ＣＰＵ５０Ａは、測定精度の判定結果を、表示部４Ａに表示する処理を行なうとともに、タイマ部５４により得られる測定精度確認動作を実行した日時を関連付けてメモリ部５２に格納する（ステップＳ１６１）。
【０１８４】
さらに、ＣＰＵ５０Ａは、メモリ部５２に格納された測定精度の判定結果に基づいて、血圧測定動作が実行可能か否かを判断し、その判断結果を、図６および図７で示した態様で表示部４Ａに表示する（ステップＳ１６２）。
【０１８５】
これに対して、精度確認装置６０Ａ側では、まず、ＣＰＵ８０Ａが、診断項目スイッチ６４６（図１９）から入力される操作信号に基づいて、選択された診断項目が血圧計１の測定精度であるか否かを判断する（ステップＳ１７１）。選択された診断項目が血圧計１Ａの測定精度であると判断されると（ステップＳ１７１にてＹＥＳ）、ＣＰＵ８０Ａは、加圧スイッチ６４８（図１９）の操作の有無を判断する（ステップＳ１７２）。加圧スイッチ６４８の操作があったことが検知されると（ステップＳ１７２でＹＥＳ）、ＣＰＵ８０Ａは、各部を制御して、所定時間疑似脈波を発生する（ステップＳ１７３）。この所定時間は、血圧計１Ａでの血圧測定処理に要する時間を含むように予め設定されたものである。
【０１８６】
以上の構成とすることにより、ユーザは、精度確認装置６０Ａに血圧計１を接続した状態で血圧計１Ａに通常の血圧測定動作を実行させることにより、血圧計１Ａの測定精度を確認することができる。その結果、簡易かつ低廉な装置構成で測定精度を確認することができる。
【０１８７】
さらに、血圧計１Ａの測定精度が所定の水準を満たしていないと判定された場合には、ユーザに対して血圧測定動作が不能である旨を通知する、もしくは、強制的に血圧測定動作を禁止する構成とすることにより、測定精度が異常な状態のままで血圧測定動作が継続されるのを回避することができる。また、定期的に測定精度の確認が行なわれるように、ユーザに対して測定精度確認動作の実行を促す通知を行なう構成とすることにより、血圧計１Ａの測定精度を高い状態で維持することができる。
【０１８８】
その結果、測定精度に対する信頼性を向上できるとともに、日常の血圧測定管理の実効性を高めることができる。
【０１８９】
なお、本実施の形態においても、測定精度の確認動作に加えて、血圧計１Ａの構成部品に対して個別に動作性能の診断を行なうことができる。血圧計１Ａの構成部品の動作性能を診断する場合には、上述した方法によって、診断対象となる構成部品の動作性能を診断するのに最適な圧力発生パターンで血圧計１Ａのエア管１０内に圧力を発生させるように、測定用エア系２３が制御される。これにより、血圧計１Ａの測定精度が異常と判断された場合には、さらに各構成部品についての動作性能を診断することによって、測定精度の低下をもたらす要因を特定することが可能となる。
【０１９０】
今回開示された実施の形態はすべての点で例示であって制限的なものではないと考えられるべきである。本発明の範囲は上記した説明ではなく、特許請求の範囲によって示され、特許請求の範囲と均等の意味および範囲内でのすべての変更が含まれることが意図される。
【図面の簡単な説明】
【０１９１】
【図１】この発明の実施の形態１に係る血圧計の測定精度確認システムの外観の概略図である。
【図２】血圧計１および精度確認装置６０のハードウェア構成の具体例を示すブロック図である。
【図３】血圧計１の測定精度の確認動作を行なうための機能構成の具体例を示すブロック図である。
【図４】圧力発生部８４が発生する疑似脈波を説明するための図である。
【図５】圧力センサ２０で検出されるエア管９０の内圧変化を説明するための図である。
【図６】表示部４における表示例を示す図である。
【図７】表示部４における他の表示例を示す図である。
【図８】表示部４における他の表示例を示す図である。
【図９】血圧計１におけるＣＰＵ５０および精度確認装置６０におけるＣＰＵ８０が実行する血圧計１の測定精度確認動作を説明するためのフローチャートである。
【図１０】測定用エア系２３の気密性を診断する場合における圧力発生パターンを示す図である。
【図１１】血圧計１におけるＣＰＵ５０および精度確認装置６０におけるＣＰＵ８０が実行する血圧計１における測定用エア系２３の気密性の診断動作を説明するためのフローチャートである。
【図１２】圧力センサ２０の動特性を診断する場合における圧力発生パターンを示す図である。
【図１３】ポンプ２４の動特性を診断する場合における圧力発生パターンを示す図である。
【図１４】血圧計１におけるＣＰＵ５０および精度確認装置６０におけるＣＰＵ８０が実行する血圧計１におけるポンプ２４の動特性の診断動作を説明するためのフローチャートである。
【図１５】弁２８の動特性を診断する場合における圧力発生パターンを示す図である。
【図１６】血圧計１におけるＣＰＵ５０および精度確認装置６０におけるＣＰＵ８０が実行する血圧計１における弁２８の動特性の診断動作を説明するためのフローチャートである。
【図１７】第１の実施の形態の変形例に係る血圧計の測定精度確認システムにおいて、血圧計１の測定精度の確認動作を行なうための機能構成の具体例を示すブロック図である。
【図１８】表示部４における表示例を示す図である。
【図１９】この発明の実施の形態２に係る血圧計の測定精度確認システムの外観の概略図である。
【図２０】血圧計１Ａおよび精度確認装置６０Ａのハードウェア構成の具体例を示すブロック図である。
【図２１】血圧計１Ａの測定精度の確認動作を行なうための機能構成の具体例を示すブロック図である。
【図２２】血圧計１ＡにおけるＣＰＵ５０Ａおよび精度確認装置６０ＡにおけるＣＰＵ８０Ａが実行する血圧計１Ａの測定精度確認動作を説明するためのフローチャートである。
【符号の説明】
【０１９２】
１，１Ａ  血圧計、２，２Ａ  本体、３，３Ａ  操作部、４，４Ａ  表示部、５  カフ、６  コネクタ、８  空気袋、１０  エア管、２０，８２  圧力センサ、２２  Ａ／Ｄ変換器、２３  測定用エア系、２４  ポンプ、２６，３０  駆動回路、２８  弁、４０〜４８，４８０  表示領域、５２，８８  メモリ部、５４，８６  タイマ部、６０，６０Ａ  精度確認装置、６２，６２Ａ  表示部、７０  通信回線、８４  圧力発生部、９０  エア管、９２  接続用プラグ、３０２，６４２  電源スイッチ、３０４  測定スイッチ、３０６  精度確認モードスイッチ、３０８，６４６  診断項目スイッチ、５０２  精度確認モード設定部、５０４，８０２  圧力測定部、５０６  測定精度管理部、５０８，８０６  表示処理部、５１２，８０４  測定精度判定部、６４８  加圧スイッチ。
【図１】
0005303939.tif 000002
【図２】
0005303939.tif 000003
【図３】
0005303939.tif 000004
【図４】
0005303939.tif 000005
【図５】
0005303939.tif 000006
【図６】
0005303939.tif 000007
【図７】
0005303939.tif 000008
【図８】
0005303939.tif 000009
【図９】
0005303939.tif 000010
【図１０】
0005303939.tif 000011
【図１１】
0005303939.tif 000012
【図１２】
0005303939.tif 000013
【図１３】
0005303939.tif 000014
【図１４】
0005303939.tif 000015
【図１５】
0005303939.tif 000016
【図１６】
0005303939.tif 000017
【図１７】
0005303939.tif 000018
【図１８】
0005303939.tif 000019
【図１９】
0005303939.tif 000020
【図２０】
0005303939.tif 000021
【図２１】
0005303939.tif 000022
【図２２】
0005303939.tif 000023